(57)【特許請求の範囲】
【請求項１】
画像データを入力する入力部と、
前記画像データを表示する表示部と、
前記画像データの印刷注文の入力を受け付ける受付部と、
前記印刷注文に基づいて前記画像データを印刷するプリンタと、
アンケートデータ、ゲームデータ及び広告データを記憶する記憶部と、
プリント注文の入力に要した操作時間を計測すると共に、前記印刷注文に基づいて、前記画像データの印刷に要するプリント推定時間を算出する制御部と、
を備え、
前記アンケートデータ、前記ゲームデータ、及び前記広告データにはそれぞれ所要時間が設定されており、
前記制御部は、算出したプリント推定時間より短い所要時間が設定されており、前記プリント注文の入力に要した操作時間の計測結果に応じたコンテンツを、前記プリンタによる画像データの印刷中に、前記表示部に表示させ、
前記プリンタによる画像データの印刷中に前記アンケートデータに基づくアンケート画面を前記表示部に表示した場合、前記受付部を介してアンケート回答を受け付け、該アンケート回答を含むアンケート結果を前記記憶部に記憶することを特徴とする画像プリント装置。
【請求項２】
画像データを入力する入力部と、
前記画像データを表示する表示部と、
前記画像データの印刷注文の入力を受け付ける受付部と、
前記印刷注文に基づいて前記画像データを印刷するプリンタと、
アンケートデータを記憶する記憶部と、
を備え、
前記プリンタによる画像データの印刷中に前記アンケートデータに基づくアンケート画面を前記表示部に表示し、前記受付部を介してアンケート回答を受け付け、該アンケート回答を含むアンケート結果を前記記憶部に記憶し、
前記表示部は、前記画像データを表示する第１ディスプレイと、第２ディスプレイとを有し、前記入力部に画像データが入力される前の注文待ち受け中に、前記第２ディスプレイにアンケート画面を表示し、前記受付部がアンケート回答を受け付けることを特徴とする画像プリント装置。
【請求項３】
前記アンケート結果を外部サーバへ送信する通信部をさらに備えることを特徴とする請求項１又は２に記載の画像プリント装置。
【請求項４】
前記通信部は、ログデータとともに前記アンケート結果を送信することを特徴とする請求項３に記載の画像プリント装置。
【請求項５】
前記通信部は、外部サーバから前記アンケートデータを受信することを特徴とする請求項３又は４に記載の画像プリント装置。
【請求項６】
アンケート回答を受け付けた後にクーポンを発行するクーポン発行手段をさらに備えたことを特徴とする請求項１乃至５のいずれかに記載の画像プリント装置。
【請求項７】
前記制御部は、前記所要時間が前記プリント推定時間より短いデータが複数ある場合、前記表示部にコンテンツ選択画面を表示させ、選択されたコンテンツを前記表示部に表示させることを特徴とする請求項１に記載の画像プリント装置。
【請求項８】
前記入力部は、データ入力方法の異なる複数のデータ入力手段を有し、
前記制御部は、データ入力方法に応じたコンテンツを、前記プリンタによる画像データの印刷中に、前記表示部に表示させることを特徴とする請求項１又は７に記載の画像プリント装置。
【請求項９】
画像データを入力する入力部と、
前記画像データを表示する第１表示部と、
前記画像データの印刷注文の入力を受け付ける受付部と、
前記印刷注文に基づいて前記画像データを印刷するプリンタと、
アンケートデータを記憶する記憶部と、
前記入力部に画像データが入力される前の注文待ち受け中に、前記アンケートデータに基づくアンケート画面を表示する第２表示部と、
を備え、
前記注文待ち受け中に受け付けたアンケート回答を含むアンケート結果を前記記憶部に記憶することを特徴とする画像プリント装置。
【請求項１０】
請求項１乃至９のいずれかに記載の画像プリント装置と、
前記画像プリント装置からアンケート結果を取得して集計するサーバと、
を備える画像プリントシステム。
【請求項１１】
画像データを入力する入力部と、
前記画像データを表示する表示部と、
前記画像データの印刷注文の入力を受け付ける受付部と、
前記印刷注文に基づいて前記画像データを外部へ送信する通信部と、
アンケートデータを記憶する記憶部と、
を備え、
前記通信部による画像データの送信中に、前記アンケートデータに基づくアンケート画面を前記表示部に表示し、前記受付部を介してアンケート回答を受け付け、該アンケート回答を含むアンケート結果を前記記憶部に記憶することを特徴とする注文受付端末。
【発明の詳細な説明】
【技術分野】
【０００１】
本発明は、利用者が所有する記憶媒体や携帯端末等に記憶されている画像データをプリント出力する画像プリント装置、画像プリントシステム、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データをプリント出力する。
【先行技術文献】
【特許文献】
【０００３】
【特許文献１】特開２００３−３３０６８０号公報
【発明の概要】
【発明が解決しようとする課題】
【０００４】
画像プリント装置は、プリントの待ち時間にゲームコンテンツを提供し、利用者を飽きさせないようにしているが、ゲームをするだけでなく、プリント待ち時間をさらに有効活用することが求められている。
【０００５】
また、利用者からプリント注文を受け付け、画像データ及び注文内容を外部サーバへ送信する注文受付端末では、画像データの転送が正常に完了するまで、利用者は端末の前で待機している必要があり、このデータ転送待ち時間を有効活用することが求められている。
【０００６】
本発明は、このような課題を解決し得る画像プリント装置、画像プリントシステム、及び注文受付端末を提供することを目的とする。
【課題を解決するための手段】
【０００７】
本発明の一態様による画像プリント装置は、画像データを入力する入力部と、前記画像データを表示する表示部と、前記画像データの印刷注文の入力を受け付ける受付部と、前記印刷注文に基づいて前記画像データを印刷するプリンタと、アンケートデータを記憶する記憶部と、を備え、前記プリンタによる画像データの印刷中に前記アンケートデータに基づくアンケート画面を前記表示部に表示し、前記受付部を介してアンケート回答を受け付け、該アンケート回答を含むアンケート結果を前記記憶部に記憶することを特徴とするものである。
【０００８】
本発明の一態様による画像プリント装置において、前記アンケート結果を外部サーバへ送信する通信部をさらに備えることが好ましい。
【０００９】
本発明の一態様による画像プリント装置において、前記通信部は、ログデータとともに前記アンケート結果を送信することが好ましい。
【００１０】
本発明の一態様による画像プリント装置において、前記通信部は、外部サーバから前記アンケートデータを受信することが好ましい。
【００１１】
本発明の一態様による画像プリント装置において、アンケート回答を受け付けた後にクーポンを発行するクーポン発行手段をさらに備えることが好ましい。
【００１２】
本発明の一態様による画像プリント装置において、前記印刷注文に基づいて、前記画像データの印刷に要するプリント推定時間を算出する制御部をさらに備え、前記記憶部はゲームデータ及び／又は広告データを格納し、前記アンケートデータ、前記ゲームデータ、及び前記広告データにはそれぞれ所要時間が設定されており、前記制御部は、算出したプリント推定時間より短い所要時間が設定されているデータを用いて、前記プリンタによる画像データの印刷中に前記表示部にコンテンツを表示させることが好ましい。
【００１３】
本発明の一態様による画像プリント装置において、前記制御部は、前記所要時間が前記プリント推定時間より短いデータが複数ある場合、前記表示部にコンテンツ選択画面を表示させ、選択されたコンテンツを前記表示部に表示させることが好ましい。
【００１４】
本発明の一態様による画像プリント装置において、前記制御部は、プリント注文の入力に要した操作時間を計測し、計測結果に応じたコンテンツを、前記プリンタによる画像データの印刷中に、前記表示部に表示させることが好ましい。
【００１５】
本発明の一態様による画像プリント装置において、前記入力部は、データ入力方法の異なる複数のデータ入力手段を有し、前記制御部は、データ入力方法に応じたコンテンツを、前記プリンタによる画像データの印刷中に、前記表示部に表示させることが好ましい。
【００１６】
本発明の一態様による画像プリント装置において、前記表示部は、前記画像データを表示する第１ディスプレイと、第２ディスプレイとを有し、前記入力部に画像データが入力される前の注文待ち受け中に、前記第２ディスプレイにアンケート画面を表示し、前記受付部がアンケート回答を受け付けることが好ましい。
【００１７】
本発明の一態様による画像プリント装置は、画像データを入力する入力部と、前記画像データを表示する第１表示部と、前記画像データの印刷注文の入力を受け付ける受付部と、前記印刷注文に基づいて前記画像データを印刷するプリンタと、アンケートデータを記憶する記憶部と、前記入力部に画像データが入力される前の注文待ち受け中に、前記アンケートデータに基づくアンケート画面を表示する第２表示部と、を備え、前記注文待ち受け中に受け付けたアンケート回答を含むアンケート結果を前記記憶部に記憶することを特徴とするものである。
【００１８】
本発明の一態様による画像プリントシステムは、上記画像プリント装置と、前記画像プリント装置からアンケート結果を取得して集計するサーバと、を備えるものである。
【００１９】
本発明の一態様による注文受付端末は、画像データを入力する入力部と、前記画像データを表示する表示部と、前記画像データの印刷注文の入力を受け付ける受付部と、前記印刷注文に基づいて前記画像データを外部へ送信する通信部と、アンケートデータを記憶する記憶部と、を備え、前記通信部による画像データの送信中に、前記アンケートデータに基づくアンケート画面を前記表示部に表示し、前記受付部を介してアンケート回答を受け付け、該アンケート回答を含むアンケート結果を前記記憶部に記憶することを特徴とするものである。
【発明の効果】
【００２０】
本発明によれば、プリント待ち時間や画像データ転送待ち時間に利用者にアンケートを提示し、アンケート回答を受け付けることで、有用な情報を収集することができる。
【図面の簡単な説明】
【００２１】
【図１】本発明の第１の実施形態に係る画像プリントシステムの構成図である。
【図２】同第１の実施形態に係る画像プリント装置のブロック図である。
【図３】同第１の実施形態に係る画像プリント装置の概略斜視図である。
【図４】（ａ）はコンテンツ種類選択画面の例を示す図であり、（ｂ）〜（ｄ）はコンテンツ選択画面の例を示す図である。
【図５】同第１の実施形態に係る画像プリント処理を説明するフローチャートである。
【図６】（ａ）〜（ｃ）はプリント待ち時間中のタッチパネルの表示画面の例を示す図である。
【図７】本発明の第２の実施形態に係る画像プリント装置の概略斜視図である。
【図８】変形例による画像プリント装置の概略斜視図である。
【図９】コンテンツ選択条件を規定したテーブルの一例を示す図である。
【発明を実施するための形態】
【００２２】
以下、本発明の実施の形態を図面に基づいて説明する。
【００２３】
＜第１の実施形態＞
図１は第１の実施形態による画像プリントシステムの構成図、図２は画像プリント装置のブロック図、図３は画像プリント装置の概略斜視図である。図１に示すように、画像プリントシステムは、インターネットやＬＡＮ等のネットワークＮを介して通信可能に接続された画像プリント装置Ｍ及びサーバＳを備える。
【００２４】
画像プリント装置Ｍは、利用者からの画像データ入力、画像データ編集、及びプリント注文を受け付け、画像データをプリント出力する。画像プリント装置Ｍは、売上ログ等のログデータをサーバＳへ送信する。また、画像プリント装置Ｍは、利用者に対してアンケートを実施し、アンケート結果をサーバＳへ送信する。画像プリント装置Ｍは、ログデータとアンケート結果を同時に送信してもよいし、別々に送信してもよい。
【００２５】
サーバＳは、画像プリント装置Ｍから受信したアンケート結果を集計し、アンケート集計結果を作成する。画像プリントシステムに複数の画像プリント装置Ｍが設けられている場合、サーバＳは、受信したデータの送信元ＩＰアドレス等に基づいて、どの画像プリント装置Ｍから送信されたデータであるかを検出し、アンケート結果を装置別や設置場所別に集計することができる。
【００２６】
また、サーバＳは、アンケート質問事項等を含むアンケートデータを画像プリント装置Ｍへ配信してもよい。これにより、利用者に対するアンケートの内容を容易に更新（変更）することができる。
【００２７】
図２に示すように、画像プリント装置Ｍは、タッチパネル（表示部、操作部）１０、データ入力部１１、課金部１２、プリンタ１３、ＣＰＵ（中央処理部）１４、ディスク装置（記憶部）１５、メインメモリ１６、及び通信部１７を有する。画像プリント装置Ｍの各部はバスを介して接続されている。
【００２８】
タッチパネル１０は、画像を含む情報を表示したり、利用者から各種指示の入力を受け付けたりする。例えば、タッチパネル１０は、利用者から、プリント出力する画像データの選択や、選択された画像データのプリント枚数指定などを受け付ける。図３に示すように、タッチパネル１０は、画像プリント装置Ｍの筐体１の上部に設けられ、ディスプレイ画面は略垂直に立った状態となっている。
【００２９】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図３に示すように、データ入力部１１は筐体１の上部、具体的には筐体１の天板１Ａとタッチパネル１０との間に設けられている。
【００３０】
図３に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００３１】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図３に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００３２】
ディスク装置１５は、画像処理プログラム、制御プログラム、及び画像データに対して合成可能な素材画像データを格納する。また、ディスク装置１５は、プリント待ち時間中に利用者に提示するコンテンツのデータ、例えばアンケートデータ、ゲームデータ及び広告データを格納する。
【００３３】
アンケートは、例えば、画像プリント装置Ｍに求める機能、画像プリント装置Ｍが設置されている店舗に対する要望、カメラメーカーの新製品に対するイメージについての質問調査である。
【００３４】
各コンテンツには、所要時間があらかじめ設定されている。例えば、アンケートには回答所要時間Ｔ１、ゲームにはクリア所要時間Ｔ２、広告には再生時間Ｔ３が設定されている。ディスク装置１５は、アンケートデータ、ゲームデータ及び広告データの各々について、複数種類のデータを格納していてもよい。ディスク装置１５は例えばハードディスクドライブである。
【００３５】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データや注文内容などを格納する領域が確保される。
【００３６】
また、ＣＰＵ１４は、ディスク装置１５内の制御プログラムをメインメモリ１６にロードし、制御プログラムを実行することで、タッチパネル１０、課金部１２及びプリンタ１３を制御する制御部１４０として機能する。
【００３７】
制御部１４０は、データ入力部１１を介して記憶媒体や携帯端末から画像データが入力されると、画像データを縮小したサムネイル画像をタッチパネル１０に表示する。タッチパネル１０には、サムネイル画像とともに、編集ボタンやプリント枚数を指定するプリント枚数増減ボタンが設けられる。利用者が編集ボタンを押下すると、タッチパネル１０の表示は編集画面に切り替わり、フレームやスタンプの付加、手書き文字の書き込み等の画像データの編集・合成が行えるようになっている。また、利用者がプリント枚数増減ボタンを押下することで、各画像のプリント枚数を指定することができる。
【００３８】
利用者がタッチパネル１０を操作して画像の選択、編集、及びプリント枚数の入力を含む印刷注文を行うと、制御部１４０はこの印刷注文を受け付ける。制御部１４０は、印刷注文に基づいて画像データをプリント出力するようにプリンタ１３を制御する。
【００３９】
制御部１４０は、印刷注文に基づいて、画像データの印刷に要するプリント推定時間（利用者のプリント待ち時間）を算出し、算出したプリント推定時間より所要時間の短いコンテンツをタッチパネル１０に表示する。プリント推定時間は、注文枚数、プリンタ１３の稼働台数、プリント用画像データの生成時間等を用いて算出される。プリント推定時間より所要時間の短いコンテンツ（表示候補）が複数ある場合、制御部１４０は、タッチパネル１０にコンテンツ選択画面を表示し、利用者が選択したコンテンツを表示する。
【００４０】
例えば、プリント推定時間がアンケート回答所要時間Ｔ１より長く、ゲームクリア所要時間Ｔ２及び広告再生時間Ｔ３より短い場合、制御部１４０は、タッチパネル１０にアンケートを表示させる。
【００４１】
また、例えば、プリント推定時間がアンケート回答所要時間Ｔ１、ゲームクリア所要時間Ｔ２及び広告再生時間Ｔ３より長い場合、制御部１４０は、タッチパネル１０に、アンケートを行うか、又はゲームを行うか、又は広告を視聴するかを選択するコンテンツ選択画面を表示し、利用者に選択されたコンテンツを表示させる。
【００４２】
表示候補が複数ある場合、まず図４（ａ）に示すようにコンテンツ種選択画面Ｄ１を表示し、コンテンツの種類が選択された後、図４（ｂ）〜（ｄ）に示すようなゲーム選択画面Ｄ２、アンケート選択画面Ｄ３、又は広告選択画面Ｄ４を表示し、コンテンツの選択を受け付けるようにする。
【００４３】
画像データのプリント完了前にゲームが終了した場合、同じゲームが繰り返されてもよいし、ゲーム選択画面Ｄ２やコンテンツ種選択画面Ｄ１に戻ってもよい。画像データのプリント完了前にアンケートが終了した場合、アンケート選択画面Ｄ３に戻ってもよいし、コンテンツ種選択画面Ｄ１に戻ってもよい。画像データのプリント完了前に広告が終了した場合、同じ広告が繰り返されてもよいし、広告選択画面Ｄ４やコンテンツ種選択画面Ｄ１に戻ってもよい。選択画面Ｄ１〜Ｄ４に戻る場合、制御部１４０は、プリント推定時間から経過時間を減じた残りプリント時間を求め、この残りプリント時間と各コンテンツの所要時間を比較して表示候補を決定し、選択画面Ｄ１〜Ｄ４を作成してもよい。
【００４４】
画像データのプリント完了に伴い、コンテンツの提示も終了する。ただし、アンケートについては終了せず、プリント完了後もアンケートの回答を続けられるようにしてもよい。
【００４５】
利用者がアンケートに回答すると、制御部１４０は、回答結果を記憶手段（ディスク装置１５又はメインメモリ１６）に記憶させる。
【００４６】
アンケート終了後、画像プリント装置Ｍはクーポン券を発行してもよい。例えば、画像プリント装置Ｍが設置されている店舗に対する要望についてのアンケートに回答した場合は、その店舗で使用可能な割引券を発行する。クーポン券は、課金部１２のレシート発行手段が発行してもよいし、プリンタ１３がプリント出力してもよい。タッチパネル１０に表示するコンテンツ種選択画面Ｄ１やアンケート選択画面Ｄ３に、アンケートに回答することでクーポン券が発行されることを表示してもよい。
【００４７】
通信部１７は、記憶手段に記憶されているアンケート結果をサーバＳへ送信する。通信部１７は、画像プリント装置Ｍの売上ログ等のログデータを定期的にサーバＳへ送信しており、アンケート結果をログデータとともに送信してもよい。あるいはまた、通信部１７は、アンケート結果が得られると速やかにサーバＳへ送信してもよい。
【００４８】
通信部１７は、サーバＳから配信されたアンケートデータを受信する。制御部１４０は、通信部１７が受信したアンケートデータをディスク装置１５に格納し、アンケート内容を更新する。また、通信部１７は、ゲームや広告を更新するためのゲームデータや広告データをサーバＳから受信してもよい。
【００４９】
このように、本実施形態によれば、プリント待ち時間に利用者にアンケートを実施し、アンケート回答を受け付ける。受け付けたアンケート結果をサーバＳで集計することで、有用な情報を収集することができる。
【００５０】
次に、図５に示すフローチャートを用いて、本実施形態に係る画像プリントの処理の流れを説明する。また、図６にタッチパネル１０の表示画面の例を示す。
【００５１】
（ステップＳ１０１）データ入力部１１が画像データの入力を受け付ける。
【００５２】
（ステップＳ１０２）制御部１４０が、画像データを縮小したサムネイル画像をタッチパネル１０に表示させる。利用者は、タッチパネル１０を操作して、プリント出力する画像を選択し、選択した画像の合成及び編集の指示を行う。制御部１４０は、利用者からの指示に応じて、画像の合成及び編集を実行する。
【００５３】
（ステップＳ１０３）利用者がタッチパネル１０を操作して、プリント枚数の入力、プリントサイズの指定等を行う。これにより、制御部１４０は、利用者からプリント注文を受け付ける。
【００５４】
（ステップＳ１０４）注文が完了した場合はステップＳ１０５に進む。注文を続ける場合はステップＳ１０２に戻る。
【００５５】
（ステップＳ１０５）利用者からの注文内容に基づく請求金額がタッチパネル１０に表示される。利用者が貨幣を投入すると、課金部１２は投入された貨幣を計数し、釣銭の出金やレシートの印字等を行う。
【００５６】
（ステップＳ１０６）制御部１４０が、プリンタ１３に、注文内容に基づく画像データのプリントを実行させる。また、制御部１４０は、画像データの印刷に要するプリント推定時間を算出する。
【００５７】
（ステップＳ１０７）制御部１４０が、ディスク装置１５に格納されているコンテンツから、所要時間がステップＳ１０６で算出したプリント推定時間以下の表示候補コンテンツを検索する。表示候補コンテンツがある場合はステップＳ１０９へ進み、無い場合はステップＳ１０８へ進む。
【００５８】
（ステップＳ１０８）タッチパネル１０に所定の画面を表示させる。例えば、「プリント中です」という文字とともに、プリント処理のプログレスバーをタッチパネル１０に表示する。
【００５９】
（ステップＳ１０９）表示候補コンテンツが複数ある場合はステップＳ１１０へ進み、１つの場合はステップＳ１１１へ進む。
【００６０】
（ステップＳ１１０）タッチパネル１０に、図４（ａ）〜（ｄ）に示すようなコンテンツ種選択画面Ｄ１、ゲーム選択画面Ｄ２、アンケート選択画面Ｄ３、広告選択画面Ｄ４等を表示させる。利用者はタッチパネル１０を操作して、コンテンツを選択する。
【００６１】
（ステップＳ１１１）表示するコンテンツがアンケートである場合は、ステップＳ１１２へ進む。表示するコンテンツがアンケート以外である場合はＳ１１５へ進む。
【００６２】
（ステップＳ１１２）制御部１４０は、タッチパネル１０に、図６（ａ）に示すようなアンケート画面を表示させる。
【００６３】
（ステップＳ１１３）制御部１４０は、全てのプリントが完了したか否か判定する。プリントが完了した場合はステップＳ１１４へ進み、完了していない場合はプリントを継続する。なお、アンケートに未回答の質問事項がある場合、プリント完了後も、アンケートの回答を続けられるようにしてもよい。これにより、完全なアンケート回答結果を得ることができる。
【００６４】
（ステップＳ１１４）通信部１７がアンケート回答結果をサーバＳへ送信する。アンケート回答結果のサーバＳへの送信は、ログデータとともに定期的に行ってもよいし、所定数のアンケート回答結果が得られる毎に行ってもよい。
【００６５】
（ステップＳ１１５）制御部１４０が、タッチパネル１０にゲーム画面又は広告画面を表示させる。例えば、タッチパネル１０に、図６（ｂ）に示すようなゲーム画面又は図６（ｃ）に示すような広告画面が表示される。
【００６６】
（ステップＳ１１６）制御部１４０は全てのプリントが完了したか否か判定する。プリントが完了した場合は処理を終了し、完了していない場合はプリントを継続する。
【００６７】
以上のように、本実施形態による画像プリント装置は、プリント待ち時間に利用者にアンケートを提示し、アンケート回答を受け付けることで、有用な情報を収集する。そのため、プリント待ち時間を有効活用することができる。また、アンケートの回答に対し、画像プリント装置Ｍのプリント機能を用いてクーポン券を発行することで、より多くの利用者をアンケートへ誘導し、多くの情報を収集することができる。
【００６８】
コンテンツの途中で選択画面Ｄ１〜Ｄ４に戻れるようにしてもよい。例えば、図６（ａ）〜（ｃ）のアンケート画面、ゲーム画面、広告画面の左上部に設けられた「アンケート選択」ボタン、「ゲーム選択」ボタン、「広告選択」ボタンを押すことで、アンケート選択画面Ｄ３、ゲーム選択画面Ｄ２、広告選択画面Ｄ４に戻る。また、左下部に設けられた「一覧に戻る」ボタンを押すことで、コンテンツ種選択画面Ｄ１に戻る。コンテンツの途中で選択画面に戻った場合、制御部１４０は、残りプリント時間を求め、この残りプリント時間に対応する表示候補コンテンツを選択画面に表示させることが好ましい。
【００６９】
上記実施形態において、画像プリント装置Ｍは、アンケート、ゲーム、広告視聴の３種のコンテンツを選択可能としていたが、提示するコンテンツはこれに限定されず、４種以上のコンテンツが選択可能であってもよい。また、アンケートのみを提示するものとしてもよいし、ゲーム又は広告視聴のいずれか一方を省略して２種のコンテンツを選択可能としてもよい。
【００７０】
上記実施形態では、プリント推定時間より所要時間の短いコンテンツが複数ある場合、利用者がコンテンツを選択できる例について説明したが、制御部１４０がコンテンツを選択してもよい。例えば、制御部１４０は、アンケート＞広告＞ゲームの順で優先順位を付け、最も優先順位の高いコンテンツを選択する。このように画像プリント装置Ｍ側でコンテンツを自動選択することにより、利用者がどのコンテンツを選択するか考える時間を省略し、プリント待ち時間をより効果的に活用することができる。
【００７１】
＜第２の実施形態＞
図７は第２の実施形態による画像プリント装置の概略斜視図である。本実施形態は、図１〜３に示す第１の実施形態と比較して、画像プリント装置Ｍ２が、筐体１の上部だけでなく、天板１Ａ部分にもタッチパネルを有する点が異なる。
【００７２】
本実施形態では、天板１Ａ部分に設けられた利用者の手元側に位置するタッチパネルを第１タッチパネル１０Ａ、筐体１の上部に設けられたタッチパネルを第２タッチパネル１０Ｂとする。第１タッチパネル１０Ａへの入力操作を行い易いように、天板１Ａ及び第１タッチパネル１０Ａの画面は、手前側が低く奥側が高くなるようにやや傾斜している。第１タッチパネル１０Ａのサイズと第２タッチパネル１０Ｂのサイズは同程度である。第１タッチパネル１０Ａ及び第２タッチパネル１０Ｂの表示制御は制御部１４０により行われる。図７において、図３に示す第１の実施形態と同一部分には同一符号を付して説明を省略する。
【００７３】
第１タッチパネル１０Ａは、上記第１実施形態のタッチパネル１０と同様の画面表示を行う。第２タッチパネル１０Ｂは、注文待ち受け中に、待ち受け処理として、広告を表示したり、アンケートを表示したりする。ここで、注文待ち受け中とは、前回の利用者のプリント完了後から、次の利用者がデータ入力部１１に画像データを入力するまでの、画像プリント装置Ｍ２の待機中をいう。
【００７４】
第２タッチパネル１０Ｂがアンケートを表示する場合、画面内にはアンケート開始ボタンが設けられる。利用者がこのアンケート開始ボタンを押すと、制御部１４０は、ディスク装置１５に記憶されているアンケートデータを用いて、第２タッチパネル１０Ｂにアンケート画面を表示する。利用者が第２タッチパネル１０Ｂを操作してアンケートに回答すると、制御部１４０は、回答結果を記憶手段（ディスク装置１５又はメインメモリ１６）に記憶させる。
【００７５】
注文待ち受け中、第１タッチパネル１０Ａは、注文待ち受け画面として、画像プリント装置Ｍ２への画像データの入力方法（例えば、記憶媒体の使用、携帯端末からの赤外線通信、又はスマートフォンからの無線通信）を選択する画面を表示する。利用者が画像データ入力方法を選択することで待ち受け処理は終了し、第２タッチパネル１０Ｂにおける広告表示やアンケート表示は終了する。
【００７６】
上記第１の実施形態では、画像データのプリント中にアンケートを実施していたが、本実施形態では、プリント中だけでなく、注文待ち受け中にもアンケートを実施し、より多くの情報を収集する。そのため、プリント待ち時間だけでなく、注文待ち受け時間も有効活用することができる。
【００７７】
また、第２タッチパネル１０Ｂは、筐体１の上部に設けられ、ディスプレイ画面は略垂直に立った状態となっている。そのため、画像プリント装置Ｍ２の設置場所近辺を往来する通行人から見やすく、この第２タッチパネル１０Ｂにアンケート実施中であることを表示することで、より多くの人をアンケートに誘導し、多くの情報を収集することができる。
【００７８】
また、第１タッチパネル１０Ａは利用者の手前側に設置され、画面は傾斜している。この第１タッチパネル１０Ａにサムネイル画像を表示することで、画像プリント装置Ｍ２に入力した画像は通行人から見え難くなり、利用者のプライバシーに配慮することができる。利用者は、通行人の視線を気にせず、リラックスしてプリント注文を行うことができる。
【００７９】
上記第１の実施形態のように、画像プリント装置がタッチパネルを１つのみ有する構成においても、注文待ち受け中にアンケートを実施できるようにしてもよい。この場合、タッチパネル１０は、注文待ち受け中のアンケート画面内に、注文待ち受け画面（画像データの入力方法選択画面）に戻るボタンを表示する。
【００８０】
上記第１及び第２の実施形態では、筐体１内にプリンタ１３を備え、その場でプリント物を出力する画像プリント装置について説明したが、プリンタ１３を省略し、プリント注文の受け付けを行う注文受付端末としてもよい。この場合、通信部１７が、プリント注文された画像データ及び注文内容をサーバＳ又は他サーバへ送信する。利用者は郵送等によってプリント物を受け取る。注文待受端末では、プリント注文された画像データ及び注文内容の送信中に、ゲーム、アンケート、広告等のコンテンツを表示する。また、注文内容に基づいてデータ送信時間を計算し、所要時間がデータ送信時間以下のコンテンツを検索して表示候補を決定し、コンテンツ選択画面を表示してもよい。
【００８１】
上記第２の実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図８に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００８２】
上記第１及び第２の実施形態において、データ入力部１１への画像データ入力方法に応じて、実施するアンケートの質問事項や提示する広告を変えてもよい。例えば、ＳＤカードを用いて画像データが入力された場合、コンパクトデジタルカメラについてのアンケートや広告を提示する。これは、ＳＤカードがコンパクトデジタルカメラでよく利用されており、利用者はコンパクトデジタルカメラに興味を持っていると考えられるためである。また、スマートフォンから画像データが入力された場合は、新型スマートフォンに関する広告を表示する。このように、画像データ入力方法に基づいて利用者に提示するコンテンツを決定することで、利用者がより興味を抱くコンテンツを提示することができ、利用者は画像データのプリント待ち時間をストレスなく過ごすことができる。
【００８３】
また、制御部１４０は、プリントする画像の選択（注文操作）に要した操作時間を計測し、計測結果に応じて提示するコンテンツを選択してもよい。操作時間が短い場合、利用者は画像プリント装置の操作に慣れていると考えられる。そのため、制御部１４０は、提示するコンテンツとして、画像プリント装置のより詳細な機能についてのアンケートや、難易度の高いゲームを選択する。一方、操作時間が長い場合、利用者は画像プリント装置の操作に不慣れであると考えられる。そのため、制御部１４０は、提示するコンテンツとして、画像プリントに関する簡単なアンケートや、難易度の低いゲームを選択する。このように、利用者の操作速度に応じたコンテンツを提示することで、利用者は自身のレベルに合ったコンテンツを楽しむことができる。
【００８４】
ディスク装置１５が、図９に示すような、各コンテンツについて、プリント推定時間、操作時間、及び画像データ入力方法からなるコンテンツ選択条件を対応付けたテーブルを記憶していてもよい。制御部１４０は、コンテンツ選択条件に基づいて表示候補のコンテンツを決定し、コンテンツ選択画面を表示する。
【００８５】
例えば、プリント推定時間が５分、操作時間が３分、画像データ入力方法が赤外線通信であった場合、制御部１４０は図９に示すテーブルを参照し、「ゲーム３」「アンケート３」「広告３」「広告ｋ」を表示候補としてコンテンツ選択画面を表示する。このように、プリント推定時間、操作時間、及び画像データ入力方法から表示候補のコンテンツを決定することで、プリント待ち受け中に、より利用者に適したコンテンツを表示することができる。
【００８６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８７】
１  筐体
１Ａ、１Ｂ  天板
２  開閉扉
１０、１０Ａ、１０Ｂ、１０Ｃ  タッチパネル
１１  データ入力部
１２  課金部
１３  プリンタ
１４  ＣＰＵ
１５  ディスク装置
１６  メインメモリ
１７  通信部
１４０  制御部
【図１】
0006405734.tif 000002
【図２】
0006405734.tif 000003
【図３】
0006405734.tif 000004
【図４】
0006405734.tif 000005
【図５】
0006405734.tif 000006
【図６】
0006405734.tif 000007
【図７】
0006405734.tif 000008
【図８】
0006405734.tif 000009
【図９】
0006405734.tif 000010